(57)【要約】【課題】この発明は、一覧性が高くユーザにとって見やすい形態で電子番組表を表示させることができ、実用に好適するようにした番組表表示装置及び番組表表示方法を提供することを目的としている。【解決手段】取得された番組情報（ＥＰＧ）に基づいて電子番組表を作成して出力する際に、同一の番組提供事業者が複数のチャンネルを持って番組を提供する場合の電子番組表の表示形態を、複数のチャンネルの中から選択された所定の代表チャンネルについて番組表を表示させるとともに、代表チャンネル以外のチャンネルの存在を示す表示情報を代表チャンネルに隣接させて表示させる１チャンネル表示モードとする。【選択図】    図６
2008283712.tif 000002
【特許請求の範囲】
【請求項１】
番組情報を取得する取得手段と、
前記取得手段で取得された番組情報に基づいて電子番組表を作成して出力するもので、同一の番組提供事業者が複数のチャンネルを持って番組を提供する場合の前記電子番組表の表示形態を、前記複数のチャンネルの中から選択された所定の代表チャンネルについて番組表を表示させるとともに、前記代表チャンネル以外のチャンネルの存在を示す表示情報を前記代表チャンネルに隣接させて表示させる１チャンネル表示モードとする制御手段とを具備することを特徴とする電子番組表出力装置。
【請求項２】
前記制御手段は、前記番組提供事業者の持つ前記代表チャンネル以外の複数のチャンネルの中で同時に同一番組を放送する各チャンネルについては、チャンネルの数を１つとみなした表示情報を出力することを特徴とする請求項１記載の電子番組表出力装置。
【請求項３】
前記制御手段は、前記番組提供事業者の持つ前記代表チャンネル以外のチャンネルの数を本数で表わし、前記番組提供事業者の持つ前記代表チャンネル以外のチャンネルで放送される番組の時間配分を長さ方向に色を変えて表示する棒状のマーカを、前記電子番組表に対応付けて表示させるための表示情報を出力することを特徴とする請求項１記載の電子番組表出力装置。
【請求項４】
前記制御手段は、同一の番組提供事業者が持つ複数のチャンネルのうち、前記代表チャンネル以外のチャンネルで放送される番組が選択されたとき、その選択された番組に対応するチャンネルを代表チャンネルとして表示する形態の電子番組表を作成するとともに、前記代表チャンネルが変更されることに応じて、前記マーカの表示位置を変更させた表示情報を出力することを特徴とする請求項３記載の電子番組表出力装置。
【請求項５】
前記制御手段は、前記表示情報を前記電子番組表の前記代表チャンネルに対する番組表の表示領域に重畳させて表示させるように出力することを特徴とする請求項１記載の電子番組表出力装置。
【請求項６】
番組情報を取得する取得工程と、
前記取得工程で取得された番組情報に基づいて電子番組表を作成して出力するもので、同一の番組提供事業者が複数のチャンネルを持って番組を提供する場合の前記電子番組表の表示形態を、前記複数のチャンネルの中から選択された所定の代表チャンネルについて番組表を表示させるとともに、前記代表チャンネル以外のチャンネルの存在を示す表示情報を前記代表チャンネルに隣接させて表示させる１チャンネル表示モードとする制御工程とを具備することを特徴とする電子番組表出力方法。
【請求項７】
前記制御工程は、前記番組提供事業者の持つ前記代表チャンネル以外のチャンネルの数を本数で表わし、前記番組提供事業者の持つ前記代表チャンネル以外のチャンネルで放送される番組の時間配分を長さ方向に色を変えて表示する棒状のマーカを、前記電子番組表に対応付けて表示させるための表示情報を出力することを特徴とする請求項６記載の電子番組表出力方法。
【発明の詳細な説明】
【技術分野】
【０００１】
この発明は、例えばデジタルテレビジョン放送受信装置等に使用して好適する電子番組表出力装置及び電子番組表出力方法に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
このようなデジタルテレビジョン放送を受信するデジタル放送受信装置にあっては、放送信号から取得したＥＰＧ（electronic program guide）情報に基づいて電子番組表を作成し、画面に映像表示している。そして、ユーザは、映像表示された電子番組表から所望の番組を選択して、視聴や録画予約等を行なうことができる。
【０００４】
ところで、ＥＰＧ情報には、放送される多数のチャンネルのそれぞれに対して約１週間分もの電子番組表を作成可能な情報が含まれている。これに対し、デジタル放送受信装置の画面サイズは限られているため、全ての電子番組表を同時に表示させることは不可能である。
【０００５】
このため、デジタル放送受信装置では、電子番組表を部分的に切り替えながら画面表示させるようにしている。この場合、限られた画面内に如何に多くの情報を効率良く表示するかということ、すなわち、一覧性を高め、ユーザが番組を見落とすことのない表示形態とすることが重要となる。
【０００６】
特許文献１には、受信したテレビジョン放送信号に含まれている番組表データの表示形態を変更可能とし、この変更された表示形態に応じた番組表データを作成して表示させることにより、ユーザが容易に認識できるような状態で、各番組に関する情報を表示できるようにした構成が開示されている。
【特許文献１】特開２００３−３４８４７９公報
【発明の開示】
【発明が解決しようとする課題】
【０００７】
そこで、この発明は上記事情を考慮してなされたもので、一覧性が高くユーザにとって見やすい形態で電子番組表を表示させることができ、実用に好適するようにした電子番組表出力装置及び電子番組表出力方法を提供することを目的とする。
【課題を解決するための手段】
【０００８】
この発明の実施の形態に係る電子番組表出力装置は、番組情報を取得する取得手段と、取得手段で取得された番組情報に基づいて電子番組表を作成して出力するもので、同一の番組提供事業者が複数のチャンネルを持って番組を提供する場合の電子番組表の表示形態を、複数のチャンネルの中から選択された所定の代表チャンネルについて番組表を表示させるとともに、代表チャンネル以外のチャンネルの存在を示す表示情報を代表チャンネルに隣接させて表示させる１チャンネル表示モードとする制御手段とを備えるようにしたものである。
【０００９】
また、この発明の実施の形態に係る電子番組表出力方法は、番組情報を取得する取得工程と、取得工程で取得された番組情報に基づいて電子番組表を作成して出力するもので、同一の番組提供事業者が複数のチャンネルを持って番組を提供する場合の電子番組表の表示形態を、複数のチャンネルの中から選択された所定の代表チャンネルについて番組表を表示させるとともに、代表チャンネル以外のチャンネルの存在を示す表示情報を代表チャンネルに隣接させて表示させる１チャンネル表示モードとする制御工程とを備えるようにしたものである。
【発明の効果】
【００１０】
この発明によれば、簡易表示されたチャンネルについて番組毎の時間配分を知ることができ、一覧性が高くユーザにとって見やすい形態で電子番組表を表示させることができ、実用に好適するものとなる。
【発明を実施するための最良の形態】
【００１１】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例とを概略的に示している。
【００１２】
すなわち、デジタルテレビジョン放送受信装置１１は、主として、薄型のキャビネット１２と、このキャビネット１２を起立させて支持する支持台１３とから構成されている。そして、このキャビネット１２には、例えばＳＥＤ（surface-conduction electron-emitter display）表示パネル，液晶表示パネル等でなる平面パネル型の映像表示器１４、スピーカ１５、操作部１６、リモートコントローラ１７から送信される操作情報を受ける受光部１８等が設置されている。
【００１３】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１４】
さらに、このデジタルテレビジョン放送受信装置１１には、例えば契約情報等の記録された第２のメモリカード［ＩＣ（integrated circuit）カード等］２０が着脱可能となっており、この第２のメモリカード２０に対して情報の記録再生が行なわれるようになっている。
【００１５】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ１３９４端子２４を備えている。
【００１６】
このうち、第１のＬＡＮ端子２１は、ＬＡＮ対応ＨＤＤ専用ポートとして使用される。すなわち、この第１のＬＡＮ端子２１は、それに接続されたＮＡＳ（network attached storage）であるＬＡＮ対応のＨＤＤ２５に対して、イーサネット（登録商標）により情報の記録再生を行なうために使用される。
【００１７】
このように、デジタルテレビジョン放送受信装置１１にＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による放送番組の情報記録を安定して行なうことができる。
【００１８】
また、第２のＬＡＮ端子２２は、イーサネット（登録商標）を用いた一般的なＬＡＮ対応ポートとして使用される。すなわち、この第２のＬＡＮ端子２２は、ハブ２６を介して、ＬＡＮ対応のＨＤＤ２７、ＰＣ（personal computer）２８、ＨＤＤ内蔵のＤＶＤ（digital versatile disk）レコーダ２９等の機器を接続して、例えば家庭内ネットワークを構築し、これらの機器と情報伝送を行なうために使用される。
【００１９】
この場合、ＰＣ２８及びＤＶＤレコーダ２９については、それぞれ、家庭内ネットワークにおいてコンテンツのサーバ機器として動作するための機能を持ち、さらにコンテンツのアクセスに必要なＵＲＩ情報を提供するサービスを備えたＵＰｎＰ（universal plug and play）対応機器として構成される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０が設けられている。
【００２１】
さらに、この第２のＬＡＮ端子２２は、ハブ２６に接続されたブロードバンドルータ３１を介して、例えばインターネット等の外部のネットワーク３２に接続される。そして、この第２のＬＡＮ端子２２は、ネットワーク３２を介してＰＣ３３や携帯電話３４等と情報伝送を行なうためにも使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ＩＥＥＥ１３９４端子２４は、例えばＡＶ（audio video）−ＨＤＤ４１、Ｄ（digital）−ＶＨＳ（video home system）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳ（communication satellite）デジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（phase shift keying）復調器４６及びＴＳ（transport stream）復号器４７に順次供給されることにより、デジタルの映像信号及び音声信号に復調された後、信号処理部４８に出力される。
【００２６】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００２７】
そして、このチューナ５１で選局された放送信号は、例えば日本ではＯＦＤＭ（orthogonal frequency division multiplexing）復調器５２及びＴＳ復号器５３に順次供給されることにより、デジタルの映像信号及び音声信号に復調された後、上記信号処理部４８に出力される。
【００２８】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されてアナログの映像信号及び音声信号に復調された後、上記信号処理部４８に出力される。
【００２９】
ここで、上記信号処理部４８は、ＴＳ復号器４７，５３からそれぞれ供給されたデジタルの映像信号及び音声信号に対して、選択的に所定のデジタル信号処理を施し、グラフィック処理部５６及び音声処理部５７に出力している。
【００３０】
また、上記信号処理部４８には、複数（図示の場合は４つ）の入力端子５８ａ，５８ｂ，５８ｃ，５８ｄが接続されている。これら入力端子５８ａ〜５８ｄは、それぞれ、アナログの映像信号及び音声信号を、デジタルテレビジョン放送受信装置１１の外部から入力可能とするものである。
【００３１】
信号処理部４８は、上記アナログ復調器５５及び各入力端子５８ａ〜５８ｄからそれぞれ供給されたアナログの映像信号及び音声信号を選択的にデジタル化し、このデジタル化された映像信号及び音声信号に対して所定のデジタル信号処理を施した後、グラフィック処理部５６及び音声処理部５７に出力する。
【００３２】
グラフィック処理部５６は、信号処理部４８から供給されるデジタルの映像信号に、ＯＳＤ（on screen display）信号生成部５９で生成されるＯＳＤ信号を重畳して出力する機能を有する。このグラフィック処理部５６は、信号処理部４８の出力映像信号と、ＯＳＤ信号生成部５９の出力ＯＳＤ信号とを選択的に出力すること、また、両出力をそれぞれ画面の半分を構成するように組み合わせて出力することができる。
【００３３】
グラフィック処理部５６から出力されたデジタルの映像信号は、映像処理部６０に供給される。この映像処理部６０は、入力されたデジタルの映像信号を、前記映像表示器１４で表示可能なフォーマットのアナログ映像信号に変換した後、映像表示器１４に出力して映像表示させるとともに、出力端子６１を介して外部に導出させる。
【００３４】
また、上記音声処理部５７は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３５】
ここで、このデジタルテレビジョン放送受信装置１１は、上記した各種の受信動作を含むその全ての動作を制御部６３によって統括的に制御されている。この制御部６３は、ＣＰＵ（central processing unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３６】
この場合、制御部６３は、主として、そのＣＰＵが実行する制御プログラムを格納したＲＯＭ（read only memory）６４と、該ＣＰＵに作業エリアを提供するＲＡＭ（random access memory）６５と、各種の設定情報及び制御情報等が格納される不揮発性メモリ６６とを利用している。
【００３７】
また、この制御部６３は、カードＩ／Ｆ（interface）６７を介して、前記第１のメモリカード１９が装着可能なカードホルダ６８に接続されている。これによって、制御部６３は、カードホルダ６８に装着された第１のメモリカード１９と、カードＩ／Ｆ６７を介して情報伝送を行なうことができる。
【００３８】
さらに、上記制御部６３は、カードＩ／Ｆ６９を介して、前記第２のメモリカード２０が装着可能なカードホルダ７０に接続されている。これにより、制御部６３は、カードホルダ７０に装着された第２のメモリカード２０と、カードＩ／Ｆ６９を介して情報伝送を行なうことができる。
【００３９】
また、上記制御部６３は、通信Ｉ／Ｆ７１を介して第１のＬＡＮ端子２１に接続されている。これにより、制御部６３は、第１のＬＡＮ端子２１に接続されたＬＡＮ対応のＨＤＤ２５と、通信Ｉ／Ｆ７１を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４０】
さらに、上記制御部６３は、通信Ｉ／Ｆ７２を介して第２のＬＡＮ端子２２に接続されている。これにより、制御部６３は、第２のＬＡＮ端子２２に接続された各機器（図１参照）と、通信Ｉ／Ｆ７２を介して情報伝送を行なうことができる。
【００４１】
また、上記制御部６３は、ＵＳＢ Ｉ／Ｆ７３を介して前記ＵＳＢ端子２３に接続されている。これにより、制御部６３は、ＵＳＢ端子２３に接続された各機器（図１参照）と、ＵＳＢ Ｉ／Ｆ７３を介して情報伝送を行なうことができる。
【００４２】
さらに、上記制御部６３は、ＩＥＥＥ１３９４ Ｉ／Ｆ７４を介してＩＥＥＥ１３９４端子２４に接続されている。これにより、制御部６３は、ＩＥＥＥ１３９４端子２４に接続された各機器（図１参照）と、ＩＥＥＥ１３９４ Ｉ／Ｆ７４を介して情報伝送を行なうことができる。
【００４３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４４】
図４は、このデジタルテレビジョン放送受信装置１１が電子番組表を表示する動作の一例を説明するためのフローチャートを示している。この動作は、ユーザがリモートコントローラ１７の番組表キー１７ｈを操作することにより開始（ステップＳ４ａ）される。
【００４５】
すると、制御部６３は、ステップＳ４ｂで、予め放送信号やネットワーク等を介して取得した番組情報であるＥＰＧ情報に基づいて電子番組表を作成し、この一部を映像表示器１４に表示させる。この映像表示器１４に表示される電子番組表の部分は、前回に表示されたチャンネルや日時等のラスト条件に基づいて決定される。
【００４６】
ここで、電子番組表の表示形態には、マルチチャンネル表示モードと１チャンネル表示モードとの２種類が用意され、ユーザによって選択可能となっている。このうち、マルチチャンネル表示モードは、受信可能な全チャンネル、または、複数のチャンネルに係る番組情報の関連付けに基づいてまとめられた複数のチャンネルについて、それぞれ番組表を表示するものである。
【００４７】
上記１チャンネル表示モードは、同じ放送事業者（番組提供事業者）が複数のチャンネルで番組を放送している場合、これら複数のチャンネルの中で、例えば１番若いチャンネル番号のチャンネルについて番組表を表示するものである。
【００４８】
すなわち、放送事業者によっては、所定の放送周波数帯域内に複数のチャンネルを設定してＳＤ（standard）放送を行なう場合と、同じ放送周波数帯域に１つのチャンネルを設定して高画質のＨＤ（high definition）放送を行なう場合とがある。そして、１チャンネル表示モードは、ＳＤ放送を行なっている放送事業者について、代表する１つのチャンネル分の番組表を表示するものである。
【００４９】
これにより、１チャンネル表示モードは画面内に表示可能な放送事業者の数を増やすことが可能となる。例えば、チャンネル提供数が１である放送事業者の場合には、番組表の表示態様は通常と同じく１チャンネル分のみの幅で表示される。
【００５０】
これに対し、複数チャンネルで異なる番組を提供する放送事業者［例えば標準（ＳＤ）テレビジョン放送等］の場合には、これら複数の内の１つのチャンネル分の番組表が選択的に表示される。なお、複数のチャンネルで異なる番組を提供する放送事業者とは、例えば地上波デジタル放送に加えて、標準テレビジョン放送の放送枠を持つ事業者等である。
【００５１】
ここで、１チャンネル表示モードで表示されるチャンネルは、放送事業者を便宜的に代表する１つのチャンネルである。このため、上記したように１番若いチャンネル番号に限定されるものではない。例えば、リモートコントローラ１７を用いたユーザの初期設定により、放送事業者毎に予め指定することもできる。
【００５２】
また、この代表チャンネルは、前回に表示されたチャンネルや日時等のラスト条件に基づいて決定することもできる。特に、チャンネル番号が最小または最大のチャンネルを代表チャンネルにすると簡便である。さらに、決定された代表チャンネルの視聴権をユーザが持たない、つまり、未契約チャンネルの場合には、そのチャンネルをスキップして隣のチャンネルを代表チャンネルとすることもできる。
【００５３】
図５は、上記したマルチチャンネル表示モードで表示された電子番組表の一例を示している。この電子番組表は、水平方向に複数（図示の場合は６つ）のチャンネルに対応した表示欄Ａ，Ｂ，Ｃ，Ｄ，Ｅ，Ｆを配列している。
【００５４】
そして、この電子番組表は、リモートコントローラ１７のカーソルキー１７ｆを操作することにより、上下左右方向に選択的にスクロールさせることが可能である。また、リモートコントローラ１７のページ切換キー１７ｉを操作すれば、１画面分の電子番組表を上下左右方向に選択的にスキップさせることが可能である。
【００５５】
ここで、この電子番組表の各表示欄Ａ〜Ｆには、それぞれ、放送局（放送事業者）名（第１放送局，第２放送局）を表示する領域７５と、チャンネル番号（１０１，１０２，１０３，１４１，１４２，１４３）を表示する領域７６と、放送予定の番組の番組名を紹介する情報（ショッピング，大リーグ中継，アニメ等）を表示する領域７７とが含まれている。
【００５６】
この場合、例えば表示欄Ａ〜Ｃに示すように、同じ第１放送局が複数（図示の場合は３つ）のチャンネル番号（１０１，１０２，１０３）を有する場合には、表示欄Ａ〜Ｃの放送局名を表示する領域７５に跨って第１放送局の局名が表示される。同様に、同じ第２放送局が複数（図示の場合は３つ）のチャンネル番号（１４１，１４２，１４３）を有する場合には、表示欄Ｄ〜Ｆの放送局名を表示する領域７５に跨って第２放送局の局名が表示される。
【００５７】
また、表示欄Ｅ，Ｆに示すように、同じ第２放送局が複数（図示の場合は２つ）のチャンネル（チャンネル番号１４２，１４３）でそれぞれ同じ番組（ドラマ）を放送する、いわゆるイベント共有が行なわれている時間帯では、２つの表示欄Ｅ，Ｆの放送予定番組の番組名を紹介する領域７７に跨って１つの番組（ドラマ）を紹介する情報が表示される。
【００５８】
上記図４のステップＳ４ｂにおいて、電子番組表が上述した図５に示すようなマルチチャンネル表示モードで表示されたとする。このような電子番組表の表示状態で、制御部６３は、ステップＳ４ｃで、リモートコントローラ１７の緑色のカラーキー１７ｍが操作されたか否かを判別する。
【００５９】
そして、リモートコントローラ１７の緑色のカラーキー１７ｍが操作されたと判断された場合（ステップＳ４ｃのＹＥＳ）、制御部６３は、ステップＳ４ｄで、電子番組表の表示形態を、現状のモードとは異なるモード、つまり、この場合１チャンネル表示モードに切り替えて、処理を終了（ステップＳ４ｅ）する。
【００６０】
図６は、１チャンネル表示モードで表示された電子番組表の一例を示している。すなわち、第１放送局に対応する表示欄Ａ〜Ｃが１つにまとめられ、チャンネル番号を表示する領域７６には、第１放送局に対して予め設定された代表チャンネル番号である１０１が表示される。また、放送局名を表示する領域７５には、第１放送局という局名が表示される。さらに、放送予定番組の番組名を紹介する領域７７には、チャンネル番号１０１のチャンネルで放送予定の番組（ショッピング）を紹介する情報が表示される。要するに、１チャンネル表示モードでは、第１放送局について言えば、領域７６にチャンネル番号１０２，１０３が表示されないとともに、領域７７にこれらのチャンネル番号１０２，１０３に関する番組名紹介とが表示されない状態となる。
【００６１】
なお、図６や他の１チャンネル表示モードを示す図は、１つのチャンネルが３チャンネル分の幅を使用しているが、これを１つのチャンネル分の幅に抑えることにより、先に説明したように、１つの画面により多くの放送事業者のチャンネルを表示させることができる。
【００６２】
同様に、第２放送局に対応する表示欄Ｄ〜Ｆが１つにまとめられ、放送局名を表示する領域７５には、第２放送局という局名が表示される。また、チャンネル番号を表示する領域７６には、第２放送局に対して予め設定された代表チャンネル番号である１４１が表示される。さらに、放送予定番組の番組名を紹介する領域７７には、チャンネル番号１４１のチャンネルで放送予定の番組（ニュース，天気予報）を紹介する情報が表示される。つまり、１チャンネル表示モードでは、第２放送局について言えば、チャンネル番号１４２，１４３とそれらのチャンネルに関する番組紹介情報とが表示されない状態となる。
【００６３】
ここで、１チャンネル表示モードにおける第１放送局の表示欄を例に説明すると、この表示欄の放送予定番組の番組名を紹介する領域７７には、その紹介情報に重ねて、表示されていない２つのチャンネル（チャンネル番号１０２，１０３）が存在することを示す、特に、イベント共有の行なわれていない２つのチャンネルが存在することを示す表示情報として、２本の棒状のマーカ７８，７９が表示されている。
【００６４】
これらのマーカ７８，７９は、放送予定番組の番組名を紹介する領域７７のうち、現在表示されているチャンネル番号１０１に対して連番となるチャンネル番号１０２，１０３のチャンネルが表示される側、つまり、図６では右側に、垂直方向（時間軸方向）に併設して表示されている。この場合、図６で左側のマーカ７８がチャンネル番号１０２のチャンネルに対応し、図６で右側のマーカ７９がチャンネル番号１０３のチャンネルに対応している。
【００６５】
そして、チャンネル番号１０２のチャンネルに対応するマーカ７８は、そのチャンネルで放送予定されている番組（大リーグ中継及びアニメ）の放送時間に対応して、色を変えて表示されている。例えば、大リーグ中継に対応する部分７８ａは緑色、アニメに対応する部分７８ｂは赤色で表示される。
【００６６】
また、チャンネル番号１０３のチャンネルに対応するマーカ７９も、そのチャンネルで放送予定されている番組（ハイビジョン特集「小さな町」及び映画）の放送時間に対応して、色を変えて表示されている。例えば、ハイビジョン特集「小さな町」に対応する部分７９ａは緑色、映画に対応する部分７９ｂは赤色で表示される。また、番組のジャンルに応じて色分けすることにより、ジャンルについても識別できるようになる。
【００６７】
これにより、ユーザは、１チャンネル表示モードで第１放送局の対応する表示欄を見た場合に、同じ第１放送局で、チャンネル番号１０１のチャンネル以外に２つのチャンネル（チャンネル番号１０２，１０３）が存在し、それぞれのチャンネルで２つの番組がどのような時間配分で放送予定されているかを、容易に知ることができる。
【００６８】
なお、第２放送局のように、１チャンネル表示モードで表示されていない２つのチャンネル（チャンネル番号１４２，１４３）でイベント共有が行なわれている場合には、これら２つのチャンネルは実質的に１つのチャンネルとみなされる。このため、放送予定番組の紹介情報を表示する領域７７には、現在表示されているチャンネル番号１４１に対して連番となるチャンネル番号１４２，１４３のチャンネルが表示される側、つまり、図６では右側に、１つのチャンネルが存在することを示す１本のマーカ８０が表示される。
【００６９】
ここで、上記したマルチチャンネル表示モードと１チャンネル表示モードとは、リモートコントローラ１７の緑色のカラーキー１７ｍが操作される毎に、交互に切り替えられるようなっている。また、リモートコントローラ１７の番組表キー１７ｈを操作されたときに表示される電子番組表の表示形態は、前回に表示されたラスト条件に基づいて決定される。
【００７０】
次に、図７は、このデジタルテレビジョン放送受信装置１１が電子番組表を表示する動作の他の例を説明するためのフローチャートを示している。この動作は、ユーザがリモートコントローラ１７の番組表キー１７ｈを操作することにより開始（ステップＳ７ａ）される。
【００７１】
すると、制御部６３は、ステップＳ７ｂで、予め放送信号やネットワーク等を介して取得した番組情報であるＥＰＧ情報に基づいて電子番組表を作成し、この一部を映像表示器１４に表示させる。この映像表示器１４に表示される電子番組表の部分や表示形態は、前回に表示されたラスト条件に基づいて決定される。
【００７２】
ここで、電子番組表が、図８に示すように、マルチチャンネル表示モードで表示されたとする。この電子番組表では、現在選択されている番組（ショッピング）の表示領域が、他の番組の表示領域と色を変えて表示されるが、図８では、ハッチングで囲むことにより表現している。
【００７３】
このような電子番組表の表示状態で、制御部６３は、ステップＳ７ｃで、リモートコントローラ１７の緑色のカラーキー１７ｍが操作されたか否かを判別する。そして、リモートコントローラ１７の緑色のカラーキー１７ｍが操作されたと判断された場合（ステップＳ７ｃのＹＥＳ）、制御部６３は、ステップＳ７ｄで、電子番組表の表示形態を、現状のモードとは異なるモード、つまり、この場合１チャンネル表示モードに切り替える。
【００７４】
この１チャンネル表示モードでは、図９に示すように、第１放送局に対して、そのチャンネル番号１０１と放送局名と放送予定の番組（ショッピング）を紹介する情報とが表示されるとともに、表示されない２つのチャンネル（チャンネル番号１０２，１０３）が存在し、かつ、それらのチャンネルで放送予定されている番組の時間配分を示すマーカ７８，７９が表示される。この場合、先に選択されていた番組（ショッピング）の表示領域が、他の番組の表示領域と色を変え、つまり、ハッチングで囲むことにより表現されている。
【００７５】
また、第２放送局に対しては、そのチャンネル番号１４１と放送局名と放送予定の番組（ニュース及び天気予報）を紹介する情報とが表示されるとともに、表示されない１つのチャンネルが存在することを示すマーカ８０が表示される。
【００７６】
このような電子番組表の表示状態で、制御部６３は、ステップＳ７ｅで、リモートコントローラ１７のカーソルキー１７ｆが操作されて、番組が変更されたか否かを判別する。そして、リモートコントローラ１７のカーソルキー１７ｆの操作により、番組が変更されたと判断された場合（ステップＳ７ｅのＹＥＳ）、制御部６３は、ステップＳ７ｆで、電子番組表を、カーソルキー１７ｆによって選択された番組を紹介する情報が表示されるように切り替えて、処理を終了（ステップＳ７ｇ）する。
【００７７】
例えば、上記ステップＳ７ｅで右方向移動用のカーソルキー１７ｆが操作されたと判断された場合、制御部６３は、図１０に示すように、チャンネル番号１０１の右側に存在するチャンネル番号１０２のチャンネルを代表チャンネルとして表示するように、電子番組表を切り替える。そして、この場合、チャンネル番号１０２のチャンネルで放送予定の番組（大リーグ中継）が、図中ハッチングで示すように選択されることになる。
【００７８】
また、この場合、第１放送局の放送予定番組の紹介情報を表示する領域７７には、現在表示されているチャンネル番号１０２に対して連番で前及び後となるチャンネル番号１０１，１０３のチャンネルが表示される側、つまり、図１０では左側と右側とに、それぞれ垂直方向にマーカ８１，７９が表示される。この場合、図１０で左側のマーカ８１がチャンネル番号１０１のチャンネルに対応し、図１０で右側のマーカ７９がチャンネル番号１０３のチャンネルに対応している。
【００７９】
そして、チャンネル番号１０１のチャンネルに対応するマーカ８１は、そのチャンネルで放送予定されている番組（ショッピング）の放送時間に対応して緑色で表示される。
【００８０】
また、チャンネル番号１０３のチャンネルに対応するマーカ７９も、そのチャンネルで放送予定されている番組（ハイビジョン特集「小さな町」及び映画）の放送時間に対応して、色を変えて表示されている。例えば、ハイビジョン特集「小さな町」に対応する部分７９ａは緑色、映画に対応する部分７９ｂは赤色で表示される。
【００８１】
これにより、ユーザは、１チャンネル表示モードで現在選局している番組（大リーグ中継）に対応する表示欄を見た場合に、同じ第１放送局で、チャンネル番号１０２のチャンネル以外に２つのチャンネル（チャンネル番号１０１，１０３）が存在し、それぞれのチャンネルで番組がどのような時間配分で放送予定されているかを、容易に知ることができる。
【００８２】
そして、図１０に示す表示状態で、さらに右方向移動用のカーソルキー１７ｆが操作された場合、制御部６３は、図１１に示すように、チャンネル番号１０２の右側に存在するチャンネル番号１０３のチャンネルを代表チャンネルとして表示するように、電子番組表を切り替える。この場合、チャンネル番号１０３のチャンネルで放送予定の番組（ハイビジョン特集「小さな町」）が、図中ハッチングで示すように選択されることになる。
【００８３】
また、この場合、第１放送局の放送予定番組の紹介情報を表示する領域７７には、現在表示されているチャンネル番号１０３に対して連番で前側となるチャンネル番号１０１，１０２のチャンネルが表示される側、つまり、図１１では左側に、それぞれ垂直方向に併設してマーカ８１，７８が表示される。この場合、図１１で左側のマーカ８１がチャンネル番号１０１のチャンネルに対応し、図１１で右側のマーカ７８がチャンネル番号１０２のチャンネルに対応している。
【００８４】
そして、チャンネル番号１０１のチャンネルに対応するマーカ８１は、そのチャンネルで放送予定されている番組（ショッピング）の放送時間に対応して緑色で表示される。また、チャンネル番号１０２のチャンネルに対応するマーカ７８も、そのチャンネルで放送予定されている番組（大リーグ中継及びアニメ）の放送時間に対応して、色を変えて表示されている。例えば、大リーグ中継に対応する部分７８ａは緑色、アニメに対応する部分７８ｂは赤色で表示される。
【００８５】
これにより、ユーザは、１チャンネル表示モードで現在選局している番組（ハイビジョン特集「小さな町」）に対応する表示欄を見た場合に、同じ第１放送局で、チャンネル番号１０３のチャンネル以外に２つのチャンネル（チャンネル番号１０１，１０２）が存在し、それぞれのチャンネルで番組がどのような時間配分で放送予定されているかを、容易に知ることができる。
【００８６】
また、図１１に示す表示状態で、さらに右方向移動用のカーソルキー１７ｆが操作された場合、制御部６３は、図１２に示すように、第１放送局のチャンネル番号１０３の右側に存在する、第２放送局のチャンネル番号１４１のチャンネルで放送予定の番組（ニュース）を、図中ハッチングで示すように選択する。
【００８７】
このように、１チャンネル表示モードで電子番組表が表示されている状態でも、カーソルキー１７ｆの操作により選局する番組が変更されたときには、この番組の変更に合わせて全てのチャンネルの表示欄が順次表示されるようになる。このため、ユーザが電子番組表上で番組の検索を行なう際に、見落としが生じることを防止することができる。
【００８８】
なお、例えば、図１３（ａ）に示すように、１チャンネル表示モードで第１の放送局のチャンネル番号１０３のチャンネルが代表チャンネルとして表示され、そのチャンネルで放送予定の番組（ハイビジョン特集「小さな町」）が図中ハッチングで示すように選局されている状態で、下方向移動用のカーソルキー１７ｆが操作された場合、制御部６３は、図１３（ｂ）に示すように、同じチャンネル番号１０３のチャンネルで、番組（ハイビジョン特集「小さな町」）の後に放送予定の番組（映画）が、図中ハッチングで示すように選局されることになる。
【００８９】
また、例えば、図１４（ａ）に示すように、１チャンネル表示モードで第１の放送局のチャンネル番号１０２のチャンネルが代表チャンネルとして表示され、そのチャンネルで放送予定の番組（大リーグ中継）が図中ハッチングで示すように選局されている状態で、下方向移動用のカーソルキー１７ｆが操作された場合、制御部６３は、図１４（ｂ）に示すように、同じチャンネル番号１０２のチャンネルで、番組（大リーグ中継）の後に放送予定の番組（アニメ）が、図中ハッチングで示すように選局されることになる。
【００９０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００９１】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置が電子番組表を表示する動作の一例を説明するために示すフローチャート。
【図５】同実施の形態におけるデジタルテレビジョン放送受信装置によりマルチチャンネル表示モードで表示される電子番組表の一例を説明するために示す図。
【図６】同実施の形態におけるデジタルテレビジョン放送受信装置により１チャンネル表示モードで表示される電子番組表の一例を説明するために示す図。
【図７】同実施の形態におけるデジタルテレビジョン放送受信装置が電子番組表を表示する動作の他の例を説明するために示すフローチャート。
【図８】同実施の形態におけるデジタルテレビジョン放送受信装置によりマルチチャンネル表示モードで表示される電子番組表の一例を説明するために示す図。
【図９】同実施の形態におけるデジタルテレビジョン放送受信装置により１チャンネル表示モードで表示される電子番組表の一例を説明するために示す図。
【図１０】同実施の形態におけるデジタルテレビジョン放送受信装置により１チャンネル表示モードで表示される電子番組表の一例を説明するために示す図。
【図１１】同実施の形態におけるデジタルテレビジョン放送受信装置により１チャンネル表示モードで表示される電子番組表の一例を説明するために示す図。
【図１２】同実施の形態におけるデジタルテレビジョン放送受信装置により１チャンネル表示モードで表示される電子番組表の一例を説明するために示す図。
【図１３】同実施の形態におけるデジタルテレビジョン放送受信装置により１チャンネル表示モードで表示される電子番組表の一例を説明するために示す図。
【図１４】同実施の形態におけるデジタルテレビジョン放送受信装置により１チャンネル表示モードで表示される電子番組表の一例を説明するために示す図。
【符号の説明】
【００９２】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６…グラフィック処理部、５７…音声処理部、５８ａ〜５８ｄ…入力端子、５９…ＯＳＤ信号生成部、６０…映像処理部、６１…出力端子、６２…出力端子、６３…制御部、６４…ＲＯＭ、６５…ＲＡＭ、６６…不揮発性メモリ、６７…カードＩ／Ｆ、６８…カードホルダ、６９…カードＩ／Ｆ、７０…カードホルダ、７１…通信Ｉ／Ｆ、７２…通信Ｉ／Ｆ、７３…ＵＳＢ Ｉ／Ｆ、７４…ＩＥＥＥ１３９４ Ｉ／Ｆ、７５〜７７…領域、７８〜８１…マーカ。
【図１】
2008283712.tif 000003
【図２】
2008283712.tif 000004
【図３】
2008283712.tif 000005
【図４】
2008283712.tif 000006
【図５】
2008283712.tif 000007
【図６】
2008283712.tif 000008
【図７】
2008283712.tif 000009
【図８】
2008283712.tif 000010
【図９】
2008283712.tif 000011
【図１０】
2008283712.tif 000012
【図１１】
2008283712.tif 000013
【図１２】
2008283712.tif 000014
【図１３】
2008283712.tif 000015
【図１４】
2008283712.tif 000016